【事件の表示】
　平成１１年特許願第　　９９８６号「スロットマシン」拒絶査定不服審判事件〔平成１２年　７月２５日出願公開、特開２０００−２０２０８８〕について、次のとおり審決する。
【結　論】
　本件審判の請求は、成り立たない。
【理　由】
１．手続の経緯
　本願は、平成１１年１月１９日の特許出願であって、平成１４年６月７日付けで拒絶査定がなされ、これに対し、同年７月１５日に拒絶査定に対する審判請求がなされるとともに、同年８月７日付けで手続補正がなされたものである。
　　　　　　　　　　　　　　　　　　　　　　　　　　　　　　　　　
２．平成１４年８月７日付けの手続補正（以下、「本件補正」という。）について
　　　　　　　　　　　　　　　　　　　　　　　　　　　　　　　　　
［補正却下の決定の結論］
　平成１４年８月７日付けの手続補正を却下する。
　　　　　　　　　　　　　　　　　　　　　　　　　　　　　　　　　
［理由］
　本件補正により、特許請求の範囲の請求項１は、
「複数種類の図柄がそれぞれ表示された複数個のリールを駆動させるためのリールユニットと、
　前記リールユニットの駆動をスタートさせるためのスタートスイッチと、
　駆動中の前記リールユニットの複数個の前記リールを個々にストップさせるための複数個のストップスイッチと、
　前記リールユニット、前記スタートスイッチ、複数個の前記ストップスイッチにそれぞれ接続され、遊技を制御するための遊技制御装置とを備え、
　前記遊技制御装置には、
　前記スタートスイッチの操作にもとづいて、前記リールの図柄抽選を行うためのための図柄抽選手段を備えたスロットマシンにおいて、
　前記スロットマシンには、
　演出を行うための演出装置を備え、
　前記遊技制御装置には、
　前記演出装置により演出を行う演出抽選確率が、前記図柄抽選手段による図柄抽選の結果にもとづいて変化する演出抽選確率テーブルと、
　前記演出抽選確率テーブルを用いて演出抽選を行うための演出抽選手段と、
　前記演出抽選手段による演出抽選の結果にもとづいて、前記演出装置による演出を、遊技の進行に伴って段階的に変化させるための演出制御手段とを備えていると共に、
　前記演出抽選確率テーブルには、
　前記複数のリールのうち、第一番目に停止する当該リールの第一停止時の演出の演出抽選確率に係る第一演出抽選確率テーブルと、
　前記複数のリールのうち、第二番目に停止する当該リールの第二停止時の演出の演出抽選確率に係る第二演出抽選確率テーブルとを備え、
　第二演出抽選確率テーブルは、第一演出抽選確率テーブルでの抽選結果に基づいて、異なった演出抽選確率テーブルが選択され、
　かつこれらの異なった演出確率テーブルは、同一の演出に関して、それぞれ確率を変化させてあるように形成したことを特徴とするスロットマシン。」
と補正された。
　　　　　　　　　　　　　　　　　　　　　　　　　　　　　　　　　
　上記補正は、請求項１に記載した発明を特定するために必要な事項である「第一停止時の演出抽選確率」について「（第一停止時の）演出の（演出抽選確率）」の限定を付加するとともに、「第二停止時の演出抽選確率」について「（第二停止時の）演出の（演出抽選確率）」の限定を付加したものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１５年改正前の特許法第１７条の２第５項において準用する同法第１２６条第４項の規定に適合するか）について以下に検討する。　　　　　　　　　　　　　　　　　　　　　　　　　　　　　　　　　　　　
（１）引用発明                                   　　　　　　　　　
　原査定の拒絶の理由に引用された、本願の出願前に頒布された刊行物である、「パチスロ完全攻略事典VOL．１０」　（平成１０年１２月２０日）株式会社日本文芸社　第４頁　（以下、「引用刊行物」という。）には、次の記載がある。
a．「火山が噴火してボーナスを知らせる迫力のパチスロ　ボルキャニック　Ｖ−２５」（上から二段目　見出し）
b．「マグマの噴火でボーナスを判断
　ボルキャニックは予告とボーナス告知のあるタイプで、４つのステップがある。予告＋告知のタイミングはレバーを叩いた時と、各リールを止めた時。大音響とともにリール窓上の火山ランプが１段階ずつついていく。」（上から三段目　第１−９行）
c．「しかし、予告がないとダメなのかというとそうではない。ステップの途中でハズれてもいきなり告知のランプが点灯することもある。そういうふうに入るボーナスもなかなかよい。」（上から三段目　第１０行−四段目　第５行）
d．左側、上から三段目−最下段にかけて、「ボルキャニックの４段階予告」として、写真とともに、以下の記載がある。
１（丸数字）　（「オッ」の文字が挿入され、８つのランプと火山の写真とともに）「レバーを叩いた時にランプが止まる。８つのうち、奇数で止まるとチャンス」と記載され、
→（矢印）
２（丸数字）　（「マグマが上昇」の文字が挿入され、火山の頂上が光り、“Dangerous Level 1”と表示された写真とともに）「左リールを止めた時、山の頂上が光ったら第２段階クリア。さらに期待が高まる」と記載され、
→（矢印）
３（丸数字）　（「噴火だ」の文字が挿入され、火山の頂上からマグマが噴出し、“Dangerous Level 2”と表示された写真とともに）「中リールを止めた時、マグマが噴出したら第３段階クリア。あと１つで確定だ」と記載され、
→（矢印）
４（丸数字）　（「やったぜ!!」の文字が挿入され、マグマが噴出している上部に“VOLCANIC ERUPTION”と表示された写真とともに）「３つ止めた時、ERUPTIONという文字が点灯したら見事ボーナス確定」と記載されている。
e．右側、上から二段−三段目にかけて、“VOLCANIC”の表示があるスロットマシンの全体写真が掲載されており、該スロットマシンは、複数種類の図柄が表示された「左」「中」「右」の３本のリールと、スタートレバー、各リールに対応した３つのストップスイッチを有しており、さらに３本のリールの上部には８つのランプと火山を表示した表示部を備えていることが見てとれる。
　　　　　　　　　　　　　　　　　　　　　　　　　　　　　　　　　
  上記の記載より、引用刊行物には以下の発明（以下、「引用発明」という。）が記載されていると認められる。
「複数種類の図柄が表示された「左」「中」「右」の３本のリールと、スタートレバー、各リールに対応した３つのストップスイッチを有しており、さらに３本のリールの上部には８つのランプと火山を表示した表示部を備えた（摘示e．）、火山が噴火してボーナスを知らせるスロットマシン（摘示a．）であって、予告＋告知のタイミングは、レバーを叩いた時と、各リールを止めた時の４つのステップにより、大音響とともにリール窓上の火山ランプが１段階ずつついていくことで、予告とボーナス告知を行い、マグマの噴火でボーナスを判断できる（摘示b．）ようにしたもので、
４つのステップよりなる予告は、
(1)レバーを叩いた時に８つのランプが止まり、８つのうち、奇数で止まるとチャンスで、
(2)左リールを止めた時、火山のマグマが上昇して頂上が光り、“Dangerous Level 1”と表示されたら第２段階クリアでさらに期待が高まり、
(3)中リールを止めた時、火山が噴火して頂上からマグマが噴出し、“Dangerous Level 2”と表示されたら第３段階クリアであと１つで確定となり、
(4)３つ止めた時、“VOLCANIC ERUPTION”という文字が点灯したら見事ボーナスが確定する（摘示d．）ものだが、
しかし、予告がないとダメなのかというとそうではなく、ステップの途中でハズれてもいきなり告知のランプが点灯することによりボーナスに入ることもある（摘示c．）、スロットマシン「ボルキャニック　Ｖ−２５」（摘示a．）。」
　　　　　　　　　　　　　　　　　　　　　　　　　　　　　　　　　
（２）対比
　本願補正発明と引用発明とを対比すると、両者はともにスロットマシンであって、引用発明について次のことがいえる。
(i) 上記e．に摘示したように、引用発明は、複数種類の図柄が表示された「左」「中」「右」の３本のリールと、スタートレバー、各リールに対応した３つのストップスイッチを有しており、上記「複数種類の図柄が表示された「左」「中」「右」の３本のリール」、「スタートレバー」、「３つのストップスイッチ」は、本願補正発明における、「複数種類の図柄がそれぞれ表示された複数個のリール」、「スタートスイッチ」、「複数個のストップスイッチ」に、それぞれ対応するものである。そして、この種のスロットマシンにおいて、上記「３本のリール」はリールユニットにより駆動され、その駆動のスタートは上記「スタートレバー」により行われ、駆動中の前記「リールユニット」の「３本のリール」は各リールに対応した「ストップスイッチ」によりストップされることは当業者にとって自明であるとともに、上記した「リールユニット」、「スタートレバー」、「ストップスイッチ」は、遊技を制御するための制御装置（すなわち、遊技制御装置）に接続されるものであることも当業者にとって自明である（必要あれば、下記の参考例１ないし３があげられる。）から、引用発明は、本願補正発明を特定する、「複数種類の図柄がそれぞれ表示された複数個のリールを駆動させるためのリールユニットと、前記リールユニットの駆動をスタートさせるためのスタートスイッチと、駆動中の前記リールユニットの複数個の前記リールを個々にストップさせるための複数個のストップスイッチと、前記リールユニット、前記スタートスイッチ、複数個の前記ストップスイッチにそれぞれ接続され、遊技を制御するための遊技制御装置とを備え」の事項に対応する構成を実質的に備えているといえる。
(ii) 上記(i) に記載したように、引用発明は、遊技を制御するための「遊技制御装置」を実質的に備えており、該「遊技制御装置」は、「スタートレバー」の操作にもとづいて、「３本のリール」の図柄抽選を行うための図柄抽選手段を備えていることも、当業者にとって自明である（必要あれば、下記の参考例１ないし３があげられる。）から、引用発明は、本願補正発明を特定する、「前記遊技制御装置には、前記スタートスイッチの操作にもとづいて、前記リールの図柄抽選を行うためのための（注；「行うための」の誤記と解される。）」図柄抽選手段を備えたスロットマシン」の事項に対応する構成を実質上備えているといえる。
(iii) 引用発明は、「３本のリールの上部には８つのランプと火山を表示した表示部を備えた（摘示e．）、火山が噴火してボーナスを知らせるスロットマシン」であり、上記「表示部」は、「火山が噴火してボーナスを知らせる」（摘示a．）という演出を行うための演出装置であるということができ、同引用発明は、本願補正発明を特定する、「前記スロットマシンには、演出を行うための演出装置を備え」の事項に対応する構成を備えているといえる。
(iv) 引用発明は、「４つのステップにより」、「予告とボーナス告知を行い、マグマの噴火でボーナスを判断」（摘示b．）できるものであるとともに、「予告がないとダメなのかというとそうではなく、ステップの途中でハズれてもいきなり告知のランプが点灯することによりボーナスに入ることもある」（摘示c．）ものである。すなわち、同引用発明は、「４つのステップにより予告とボーナス告知を行」うという「演出」と、「４つのステップ」の「途中でハズれてもいきなり告知のランプが点灯することによりボーナスに入る」という「演出」という、複数種類の「演出」を行うことが可能とされているものである。そして、本願補正発明の出願時の技術レベル（例えば下記の周知例１ないし３があげられる。）を参酌すれば明らかなように、複数種類の演出を行うことが可能なスロットマシンにおいて、該複数種類の演出のうちの１つを選択するのは抽選によるものであり、抽選は確率テーブルを用いて行われるものであることから、引用発明は、演出の抽選を行うための確率テーブル、すなわち本願補正発明における「演出抽選確率テーブル」に対応するものを実質上、備えているということができ、さらに、前記「演出抽選確率テーブル」を用いて「演出抽選」を行うための「演出抽選手段」を備えているということができ、これらは引用発明が実質的に備える、上記した「遊技制御装置」が備えるものである。
　一方、本願補正発明は、「前記遊技制御装置には、演出抽選確率テーブルと、前記演出抽選確率テーブルを用いて演出抽選を行うための演出抽選手段」とを備えており、本願補正発明と引用発明とは、「前記遊技制御装置には、演出抽選確率テーブルと、前記演出抽選確率テーブルを用いて演出抽選を行うための演出抽選手段」を備える点で共通しているということができる。(v) 上記(iii)に記載したように、引用発明は「演出を行うための演出装置」を備えており、また上記(iv)に記載したように、同引用発明は、「演出抽選手段」による「演出抽選」の結果にもとづいて「演出」を行うものである。
　そして、上記b．に摘示したように、引用発明における「演出」は、「レバーを叩いた時と、各リールを止めた時の４つのステップにより、大音響とともにリール窓上の火山ランプが１段階ずつついていくことで、予告とボーナス告知を行」うことによるものであり、遊技の進行に伴って段階的に変化する「演出」であって、同引用発明が実質的に備える、上記した「遊技制御装置」は、当該「演出」を制御する制御手段、すなわち、本願補正発明における「演出制御手段」に対応するものを備えているといえる。
　そうすると、引用発明は、本願補正発明を特定する、「（前記遊技制御装置には、）前記演出抽選手段による演出抽選の結果にもとづいて、前記演出装置による演出を、遊技の進行に伴って段階的に変化させるための演出制御手段とを備えている」の事項に対応する構成を備えているといえる。
(vi) 上記(iv)に記載したように、引用発明は、「４つのステップにより予告とボーナス告知を行」うという「演出」と、「４つのステップ」の「途中でハズれてもいきなり告知のランプが点灯することによりボーナスに入る」という「演出」を含む、複数種類の「演出」を行うことが可能とされているものであり、「４つのステップ」のうち、第１番目に停止する「左リールを止めた時」の演出についてみると、「火山のマグマが上昇して頂上が光り、“Dangerous Level 1”と表示」（摘示c．）される「演出」のほかにも、「途中でハズれ」ることに対応した、当該「演出」が行われない、という態様を含むものということができ、引用発明が実質的に備える「演出抽選確率テーブル」（上記(iv)）は、複数のリールのうち、第一番目に停止する当該リールの第一停止時の「演出」の「演出抽選確率」を規定しているといえる。
　同様に、第２番目に停止する「中リールを止めた時」の演出についても、「火山が噴火して頂上からマグマが噴出し、“Dangerous Level 2”と表示」（摘示c．）される「演出」のほかにも、「途中でハズれ」ることに対応した、当該「演出」が行われない、という態様を含むものということができ、引用発明が実質的に備える上記「演出抽選確率テーブル」は、複数のリールのうち、第二番目に停止する当該リールの第二停止時の「演出」の「演出抽選確率」を規定しているといえる。                 
　一方、本願補正発明は、「前記演出抽選確率テーブルには、前記複数のリールのうち、第一番目に停止する当該リールの第一停止時の演出の演出抽選確率に係る第一演出抽選確率テーブルと、前記複数のリールのうち、第二番目に停止する当該リールの第二停止時の演出の演出抽選確率に係る第二演出抽選確率テーブルとを備え、第二演出抽選確率テーブルは、第一演出抽選確率テーブルでの抽選結果に基づいて、異なった演出抽選確率テーブルが選択され、かつこれらの異なった演出確率テーブルは、同一の演出に関して、それぞれ確率を変化させてあるように形成した」ものであり、「演出抽選確率テーブル」は、「前記複数のリールのうち、第一番目に停止する当該リールの第一停止時の演出の演出抽選確率」と、「前記複数のリールのうち、第二番目に停止する当該リールの第二停止時の演出の演出抽選確率」を規定したものであるということができ、本願補正発明と引用発明とは、「演出抽選確率テーブルは、前記複数のリールのうち、第一番目に停止する当該リールの第一停止時の演出の演出抽選確率と、前記複数のリールのうち、第二番目に停止する当該リールの第二停止時の演出の演出抽選確率を規定」した点で共通しているということができる。
　　　　　　　　　　　　　　　　　　　　　　　　　　　　　　　　　
　以上の事項より、本願補正発明と引用発明とは以下の点で一致し、また相違していると認められる。
一致点；
複数種類の図柄がそれぞれ表示された複数個のリールを駆動させるためのリールユニットと、前記リールユニットの駆動をスタートさせるためのスタートスイッチと、駆動中の前記リールユニットの複数個の前記リールを個々にストップさせるための複数個のストップスイッチと、前記リールユニット、前記スタートスイッチ、複数個の前記ストップスイッチにそれぞれ接続され、遊技を制御するための遊技制御装置とを備え、前記遊技制御装置には、前記スタートスイッチの操作にもとづいて、前記リールの図柄抽選を行うための（ための）図柄抽選手段を備えたスロットマシンにおいて、前記スロットマシンには、演出を行うための演出装置を備え、前記遊技制御装置には、演出抽選確率テーブルと、前記演出抽選確率テーブルを用いて演出抽選を行うための演出抽選手段と、前記演出抽選手段による演出抽選の結果にもとづいて、前記演出装置による演出を、遊技の進行に伴って段階的に変化させるための演出制御手段とを備えていると共に、演出抽選確率テーブルは、前記複数のリールのうち、第一番目に停止する当該リールの第一停止時の演出の演出抽選確率と、前記複数のリールのうち、第二番目に停止する当該リールの第二停止時の演出の演出抽選確率を規定したスロットマシン、である点。
　　　　　　　　　　　　　　　　　　　　　　　　　　　　　　　　　
相違点；
(A) 演出抽選確率テーブルにおける演出抽選確率が、本願補正発明では図柄抽選手段による図柄抽選の結果にもとづいて変化するものであるのに対して、引用発明ではボーナス図柄のためのものであり、図柄抽選の結果にもとづいて変化するものではない点。
(B) 複数のリールのうち、第一番目に停止する当該リールの第一停止時の演出の演出抽選確率と、複数のリールのうち、第二番目に停止する当該リールの第二停止時の演出の演出抽選確率の規定が、本願補正発明は、それぞれ第一演出抽選確率テーブルと、第二演出抽選確率テーブルによるものであり、第二演出抽選確率テーブルは、第一演出抽選確率テーブルでの抽選結果に基づいて、異なった演出抽選確率テーブルが選択され、かつこれらの異なった演出確率テーブルは、同一の演出に関して、それぞれ確率を変化させてあるように形成したのに対して、引用発明はそのようには形成されていない点。
　　　　　　　　　　　　　　　　　　　　　　　　　　　　　　　　　
（３）判断
　上記の相違点について検討する。
(A)の相違点について
　複数種類の演出から抽選により１の演出を選択して演出を行うようにしたスロットマシンにおいて、抽選のためのテーブル、すなわち演出抽選確率テーブルを、図柄抽選手段による図柄抽選の結果にもとづいて変化するようにすることは、本願補正発明の出願時によく知られていた（例えば、下記の周知例１ないし３があげられる。）。そしてこれらの周知技術を参酌し、引用発明において、ボーナス図柄以外の図柄についても演出を行うこととし、図柄抽選手段による図柄抽選の結果にもとづいて変化する演出抽選確率テーブルを設けることは、当業者が容易になし得ることである。　　　　　　
(B) の相違点について
　(B) の相違点に関連して引用発明をさらにみると、上記(iv)に記載したように、「途中でハズれてもいきなり告知のランプが点灯することによりボーナスに入る」という「演出」がなされる場合を考慮すると、第１番目に停止する「左リールを止めた時」の表示の態様は、「火山のマグマが上昇して頂上が光り、“Dangerous Level 1”と表示」（摘示d．）される「演出」と、当該「演出」が行われない態様、という少なくとも２つの表示の態様を含むものであり、さらに第二番目に停止する「中リールを止めた時」の表示の態様は、「火山が噴火して頂上からマグマが噴出し、“Dangerous Level 2”と表示」（摘示d．）される「演出」と、当該「演出」が行われない態様、という少なくとも２つの表示の態様を含むものであるが、「途中でハズれ」た場合には、「いきなり告知のランプが点灯することによりボーナスに入る」ことはあっても、「４つのステップ」のうち、先行する１つ前のステップで「ハズれ」た場合、例えば第一番目に停止する「左リールを止めた時」に「ハズれ」となって、「演出」が行われていないのに、続く第二番目に停止する「中リールを止めた時」に突然当りとなって、第二番目に対応した「演出」である「火山が噴火して頂上からマグマが噴出し、“Dangerous Level 2”と表示」される「演出」が行われることは、ストーリー性のある当該「演出」においては起こり得ないことが明らかであり、「途中でハズれ」た場合には、「４つのステップ」のうち、３つ目の「ステップ」までは「ハズれ」が続き、４つ目の「ステップ」で「いきなり告知のランプが点灯することによりボーナスに入る」ものであるといえる。これに対し、第一番目に停止する「左リールを止めた時」に、第一番目に対応した「演出」である「火山のマグマが上昇して頂上が光り、“Dangerous Level 1”と表示」される「演出」が行われていれば、続く第二番目に停止する「中リールを止めた時」に起こり得る表示の態様は、第二番目に対応した「演出」である「火山が噴火して頂上からマグマが噴出し、“Dangerous Level 2”と表示」される「演出」が行われるか、「ハズれ」となって当該「演出」が行われない態様、という２つの表示の態様のどちらの態様も可能なものであり、同引用発明が実質的に開示する「演出抽選確率テーブル」は、第一番目に停止する「左リールを止めた時」に行われる表示の態様に基づいて第二番目に停止する「中リールを止めた時」の表示の態様が選択されるよう構成されているということができる。
　ここで、引用発明において、第一番目に停止する「左リールを止めた時」の表示の態様に基づいて第二番目に停止する「中リールを止めた時」の表示の態様が選択されるれるために、引用発明が実質的に開示する「演出抽選確率テーブル」は、第一番目に停止する「左リールを止めた時」に(ア)「演出」が行われる場合と(イ)「演出」が行われない場合とに場合分けをし、さらに第二番目に停止する「中リールを止めた時」に、前記(ア)について、(ウ)「演出」が行われる場合と(エ)「演出」が行われない場合、前記(イ)について、(オ)「演出」が行われない、という具合に、それぞれについて場合分けをすることにより、単一の「演出抽選確率テーブル」を用いて一括して抽選を行うものであるのか（従来技術である、周知例１ないし３が上記した抽選の方式を採っている。）、第一番目に停止する「左リールを止めた時」の表示の態様のための抽選と、第二番目に停止する「中リールを止めた時」の表示の態様のための抽選のそれぞれについて、異なる第一と第二の「演出抽選確率テーブル」を用いて二段階に分けて抽選を行うものであるのかについては、引用刊行物には記載がないが、上記した２つの抽選の方式、すなわち、単一の「演出抽選確率テーブル」を用いて一括して抽選を行う方式とするか、異なる第一と第二の「演出抽選確率テーブル」を用いて二段階に分けて抽選を行う方式とするか、のいずれの方式を採ったとしても、抽選の結果にはさして影響はない。
　ところで、演出を行うための抽選確率テーブルを備えた遊技機において、異なる抽選確率テーブルを用いて二段階に分けて抽選を行うこととし、一段階目の抽選結果に基づいて二段階目の抽選を行うことは、下記の周知例４ないし６に例示されるように周知技術である。例えば下記の周知例４においては、第一段階として「ランダム３カウンタ」により大当り予告（大当り予告１または２）、リーチ予告、予告なしのいずれかを決定し、一段階目の抽選結果に基づき、大当り予告（大当り予告１または２）またはリーチ予告のいずれかを行う場合について、第二段階として「ランダム４カウンタ」により、音、ランプ、ＬＥＤによる報知（演出）を行うか、「ＬＣＤ表示装置５」による報知（演出）を行うか、ラッキーナンバー表示ＬＥＤによる報知（演出）を行うかを決定するものであり、下記の周知例５においては、第一段階として大当り決定用の「ＷＣＲＮＤ１」から抽出した数値が大当りと判定された場合、及び左図柄表示用と大当り表示用の「ＷＣＲＮＤ＿Ｌ」と、中図柄表示用の「ＷＣＲＮＤ＿Ｃ」と、右図柄表示用の「ＷＣＲＮＤ＿Ｒ」から抽出した数値がリーチと判定された場合には、一段階目の抽選結果に基づき、第二段階として「ＷＣＲＮＤ ＡＣＴ」から数値を抽出して、リーチ１〜３のいずれかを選択するものであり、下記の周知例６においては、第一段階として「リーチ乱数カウンタ」の値に基づき、次に発生する予定のリーチ状態がダブルリーチであるかシングルリーチであるかを決定し、一段階目の抽選結果に基づき、第二段階として「リーチ種別カウンタ」の値を読取り、その値に基づきリーチ種別（リーチパターン）を決定するものであって、これらの周知技術において用いられる、互いに異なる「カウンタ」により二段階に分けて抽出された数値をもとに、それぞれ異なる抽選確率テーブル（すなわち、本願補正発明における「演出抽選確率テーブル」に対応するもの。）を参照して演出の態様が選択されるものである。そして、この種の演出態様の抽選に関する技術は、スロットマシンや弾球遊技機といった、遊技機に共通する技術であり、どちらにも適用可能な技術である。
　そうすると、上記の周知技術を参酌し、引用発明における「リールを止めた時」の表示の態様を選択するための抽選を、異なる「演出抽選確率テーブル」を用いて二段階に分けて行うこととして、第一番目に停止する「左リールを止めた時」の表示の態様についての抽選を行うための第一の「演出抽選確率テーブル」と、第二番目に停止する「中リールを止めた時」の表示の態様についての抽選を行うための第二の「演出抽選確率テーブル」とを備えるよう構成することは格別困難なことではなく、上記したように、引用発明は、第一番目に停止する「左リールを止めた時」の表示の態様に基づいて第二番目に停止する「中リールを止めた時」の表示の態様が選択されるものであることを考慮すれば、上記第二の「演出抽選確率テーブル」は、第一の「演出抽選確率テーブル」の抽選結果に基づいて異なった「演出抽選確率テーブル」が選択され、これらの異なった「演出抽選確率テーブル」は、同一の演出に関して、それぞれ確率を変化させるよう構成されるものである。
　　　　　　　　　　　　　　　　　　　　　　　　　　　　　　　　　
　そして、本願補正発明の効果も、引用発明や周知技術（周知例１ないし６）に比して、格別顕著なものとはいえない。
　したがって、本願補正発明は、引用発明及び周知技術（周知例１ないし６）に基づいて、当業者が容易に発明をすることができたものであるから、特許法第２９条第２項の規定により特許出願の際独立して特許を受けることができないものである。
　　　　　　　　　　　　　　　　　　　　　　　　　　　　　　　　　
【周知例】
１．「パチスロ攻略マガジン」１９９８年４月号（平成１０年４月１日）
　　株式会社双葉社　第４−１０頁
　予告音発生の有無、リールランプの消灯が何リール分行われるか、または否か、何らかの役フラグが成立している場合には、どのフラッシュを出現させるかという、リールが停止する間に絡む全演出を、ボーナスフラグの成立、未成立などのベースに加えて、子役フラグの有無を加味し、フラグ状態に見合った組み合わせで、それぞれの状態毎に一括して振り分ける、振り分けテーブルが存在しており、想定し得る全ての状態に関して、各演出を個別に振り分け、決定するスロットマシン「サンダーＶ」。
　８頁の「振り分けテーブル」には、「ボーナス未成立・リプレイ」「ボーナス成立・リプレイ」「ボーナス未成立・スイカ」「ボーナス成立・スイカ」「ボーナス未成立・ベル」「ボーナス成立・ベル」「ボーナス未成立・２or４枚チェリー」「ボーナス成立・２or４枚チェリー」「ボーナス未成立・ハズレ」「ボーナス成立・ハズレ」「ＲＥＧ当選プレイ」「ＢＩＧ当選プレイ」「ＢＩＧ中の各状態」に関して、「出現率」と「消灯」等との関係が示されており、「消灯」項目に、「Ａと書かれていれば最初に押したリールランプが、Ｂと書かれていれば次に押したリールランプも、Ｃと書かれていれば全消灯となり、無表記の場合は消灯無しである。」と記載されている。
　　　　　　　　　　　　　　　　　　　　　　　　　　　　　　　　　
２．「パチスロ必勝ガイド」１９９８年４月号　（平成１０年４月１日）　　　株式会社白夜書房　第４−１０頁
　成立フラグや状態に対応して数パターンずつ事細かに指定された、「予告機能テーブル」を用い、１２８を分母とする振り分け抽選によって、その中のいずれかを選択し、リール回転開始時に発生する「予告音」、各リールを止めた時の「バックライト消灯」、そして全リール停止直後の「フラッシュ」よりなる一連の動作により、ボーナスフラグ成立への期待感を段階的に演出していくチャンス予告システムを備えた、スロットマシン「サンダーＶ」。
　第５頁左の「基本的なゲームの流れ」の図には、「リールランプが消灯」の記載に続いて「１つ消灯」「２つ消灯」「３つ消灯」と記載されており、第６−７頁には、「ＲＥＧ成立ゲーム」「ＢＩＧ成立ゲーム」「通常時 ハズレ」「ボーナス成立後 ハズレ」の「予告機能テーブル」（以上第６頁）が、「（ベルの図柄）成立時」、「（リプレイの図柄）成立時」、「（スイカの図柄）成立時」、「（チェリーの図柄）成立時」のそれぞれについて、「通常時」と「ボーナスフラグ成立後」の「予告機能テーブル」（以上第７頁）が記載されている。
　　　　　　　　　　　　　　　　　　　　　　　　　　　　　　　　　
３．「パチスロ完全攻略事典VOL．９」　（平成１０年９月２５日）　
　　株式会社日本文芸社　第６８−７１頁　
　普通の機種のように、ボーナスや小役を抽選し、その結果に応じて成立するフラグの状態によって決まる、いくつかに分かれた選択グループの中で抽選する前兆パターンであって、前記前兆パターンは、予告音、バックライト、フラッシュの３種類よりなり、これら３つをまとめて一括抽選するものであり、フラグ成立の状態は、前のゲームまでにボーナスのフラグが成立しているかどうかで、通常時とボーナス成立時に分けられ、通常時は、そのゲームでの抽選結果でビッグ、レギュラー、リプレイを含む４種類の小役、ハズレの７つに分類され、ボーナス成立後はボーナス抽選がないので５つに分類されて、全部で１２通りあり、状態ごとの各選択グループでは、予告音、バックライト消灯数、フラッシュの種類の組み合わせが所定の選択率で振り分けられている、スロットマシン「サンダーＶ」の前兆パターン。
　第７０−７１頁には、「ＲＥＧ成立ゲーム」「ＢＩＧ成立ゲーム」（以上第７０頁）及び、「ハズレ」、「リプレイ」、「スイカ」、「チェリー」のそれぞれについての「通常時」と「ボーナスフラグ成立後」（以上第７頁）の「前兆パターンの振り分け率」が記載されている。
　　　　　　　　　　　　　　　　　　　　　　　　　　　　　　　　　
４．特開平７−６８０２７号公報
　「ランダム１カウンタ」により大当りを発生させるか否かを決定し、「ランダム３カウンタ」により大当り予告（大当り予告１または２）、リーチ予告、予告なしのいずれかを決定し、続いて大当り予告（大当り予告１または２）、リーチ予告を行う場合について、「ランダム４カウンタ」により、音、ランプ、ＬＥＤによる報知を行うか、「ＬＣＤ表示装置５」による報知を行うか、ラッキーナンバー表示ＬＥＤによる報知を行うかを決定する、パチンコ機やスロットマシン等の遊技機。
（特許請求の範囲、段落【０００１】【０００８】【００２０】、図３）
　　　　　　　　　　　　　　　　　　　　　　　　　　　　　　　　　
５．特開平９−１０４００号公報　　　　　　　　　　　　　　　　　　　　大当り決定用のＷＣＲＮＤ１から抽出した値が大当りと判定された場合、及び左図柄表示用と大当り表示用のＷＣＲＮＤ＿Ｌと、中図柄表示用のＷＣＲＮＤ＿Ｃと、右図柄表示用のＷＣＲＮＤ＿Ｒから抽出した数値からリーチと判定された場合には、ＷＣＲＮＤ ＡＣＴから数値を抽出して、リーチ１〜３のいずれかを選択するもので、通常図柄と確変図柄について、上記リーチ１〜３の出現率が定められており、通常図柄抽出時では、リーチ１の平均出現率が６１％、リーチ２の平均出現率が２５％、リーチ３（スーパーリーチ）の平均出現率が１３％に、確変図柄抽出時では、リーチ１の平均出現率が１５％、リーチ２の平均出現率が３０％、リーチ３（スーパーリーチ）の平均出現率が５５％に、それぞれ確率を異ならせて設定されている、弾球遊技機。（段落【００１８】−【００２１】【００２６】、図１８）
　　　　　　　　　　　　　　　　　　　　　　　　　　　　　　　　　
６．特開平１０−１７４７５０号公報
　「リーチ乱数カウンタ」の値に基づき、次に発生する予定のリーチ状態がダブルリーチであるかシングルリーチであるかを決定し、さらに「リーチ種別カウンタ」の値を読取り、その値に基づきリーチ種別（リーチパターン）を決定する、遊技機。（段落【００２０】−【００２２】、図４−７）
　　　　　　　　　　　　　　　　　　　　　　　　　　　　　　　　　
【参考例】
１．特公平５−８０２３５号公報
　周面に複数の「絵柄１３」が配列された複数の「ドラム１ａ，１ｂ，１ｃ」と、各「ドラム１ａ，１ｂ，１ｃ」を一斉始動させるための「始動レバー６」および個別に停止させるための３個の「停止ボタン５」とを備える駆動機構と、前記駆動機構による「ドラム１ａ，１ｂ，１ｃ」の停止動作を制御する停止制御手段と、各「ドラム１ａ，１ｂ，１ｃ」が一斉始動するのに応答してボーナスゲームについての抽選を実行する抽選手段とを、「コンピュータ回路のＣＰＵ２７」に接続したスロットマシン。（特許請求の範囲、第３頁第５欄第８−４４行）
　　　　　　　　　　　　　　　　　　　　　　　　　　　　　　　　　
２．実公平５−７００８号公報
　外周にシンボルを配列した「リール４〜６」と、「モータ制御回路４０〜４２」を介して「リール４〜６」を駆動する「モータＭ1〜Ｍ1」とを備え、「スタートレバー３」を操作することによって「リール４〜６」を回転させ、各「リール４〜６」ごとに設けた「ストップボタン１１〜１３」により各「リール４〜６」を停止させ、「スタートレバー３」が操作された時点を基準にして一定時間後に乱数値のサンプリングを行い、サンプリングされた乱数値を「リクエスト信号発生回路３８」において「メインＣＰＵ２０」のデータと比較し、一定範囲内の時にはリクエスト信号を出力すると共に、上記「モータ制御回路４０〜４２」、「リクエスト信号発生回路３８」を「メインＣＰＵ２０」に接続したスロットマシン。（特許請求の範囲、第２頁第４欄第１８−２７行、第３頁第６欄第３−２２行、第２図）
　　　　　　　　　　　　　　　　　　　　　　　　　　　　　　　　　
３．特開平８−１１７３９０号公報
　各々の外周面に複数種類のシンボルが配列された３個の「リール２，３，４」と、「モータ駆動回路３１」を介して３個の「リール２，３，４」を一斉に回転させる「スタートレバー１１」と、各リールに対応して設けられた「ストップボタン１２，１３，１４」とを「マイコン２０」の「ＣＰＵ２１」に接続し、「スタートレバー１１」が操作されると上記「ＣＰＵ２１」において内部的抽選処理を行う、スロットマシン。（段落【００２９】【００３２】【００５３】、図３）　　　　　　　　　　　　　　　
　　　　　　　　　　　　　　　　　　　　　　　　　　　　　　　　　
（４）むすび
　したがって、本件補正は、平成１５年改正前の特許法第１７条の２第５項において準用する同法第１２６条第４項の規定に違反するので、同法第１５９条第１項において読み替えて準用する同法第５３条第１項の規定により却下すべきものである。 
　　　　　　　　　　　　　　　　　　　　　　　　　　　　　　　　　
３．本願発明について
　平成１４年８月７日付けの手続補正は上記のとおり却下されたので、本願の請求項１に係る発明（以下、「本願発明」という。）は、平成１４年３月１１日付け手続補正書の特許請求の範囲の請求項１に記載された事項により特定される、以下のとおりのものである。
「複数種類の図柄がそれぞれ表示された複数個のリールを駆動させるためのリールユニットと、
　前記リールユニットの駆動をスタートさせるためのスタートスイッチと、
　駆動中の前記リールユニットの複数個の前記リールを個々にストップさせるための複数個のストップスイッチと、
　前記リールユニット、前記スタートスイッチ、複数個の前記ストップスイッチにそれぞれ接続され、遊技を制御するための遊技制御装置とを備え、
　前記遊技制御装置には、
　前記スタートスイッチの操作にもとづいて、前記リールの図柄抽選を行うためのための図柄抽選手段を備えたスロットマシンにおいて、
　前記スロットマシンには、
　演出を行うための演出装置を備え、
　前記遊技制御装置には、
　前記演出装置により演出を行う演出抽選確率が、前記図柄抽選手段による図柄抽選の結果にもとづいて変化する演出抽選確率テーブルと、
　前記演出抽選確率テーブルを用いて演出抽選を行うための演出抽選手段と、
　前記演出抽選手段による演出抽選の結果にもとづいて、前記演出装置による演出を、遊技の進行に伴って段階的に変化させるための演出制御手段とを備えていると共に、
　前記演出抽選確率テーブルには、
　前記複数のリールのうち、第一番目に停止する当該リールの第一停止時の演出抽選確率に係る第一演出抽選確率テーブルと、
　前記複数のリールのうち、第二番目に停止する当該リールの第二停止時の演出抽選確率に係る第二演出抽選確率テーブルとを備え、
　第二演出抽選確率テーブルは、第一演出抽選確率テーブルでの抽選結果に基づいて、異なった演出抽選確率テーブルが選択され、
　かつこれらの異なった演出確率テーブルは、同一の演出に関して、それぞれ確率を変化させてあるように形成したことを特徴とするスロットマシン。」
　　　　　　　　　　　　　　　　　　　　　　　　　　　　　　　　　
（１）引用発明
　原査定の拒絶の理由に引用された、本願の出願前に頒布された刊行物は、前記「２．（１）」に記載したとおりである。
　　　　　　　　　　　　　　　　　　　　　　　　　　　　　　　　　
（２）対比・判断
　本願発明は、前記２．で検討した本願補正発明から「第一停止時の演出の演出抽選確率」の限定事項である「演出の」の構成を省くとともに、「第二停止時の演出の演出抽選確率」の限定事項である「演出の」の構成を省いたものである。
　そうすると、本願発明の構成要件を全て含み、さらに他の構成要件を付加したものに相当する本願補正発明が、前記「２．（３）」に記載したとおり、引用発明及び周知技術（周知例１ないし６）に基づいて、当業者が容易に発明をすることができたものであるから、本願発明も、同様の理由により、引用発明及び周知技術（周知例１ないし６）に基いて当業者が容易に発明をすることができたものである。
（３）むすび                               　　　　　　　　　　　 
　以上のとおり、本願発明は、引用発明及び周知技術（周知例１ないし６）に基いて、当業者が容易に発明をすることができたものであるから、特許法第２９条第２項の規定により特許を受けることができない。
　よって、本願の他の請求項について論じるまでもなく、結論のとおり審決する。